(57)【要約】【課題】防火性能を向上することができる建具を提供する。【解決手段】建具１０は、袖壁パネル２０と、袖壁パネル２０の外周端部を保持する框体１８とを備え、上框１８ａ、中間縦枠４６、及び戸尻側縦枠１２ｄの開口溝５２，６６，６８には、袖壁パネル２０の脱落を防止する脱落防止金具８４，９５，９６が設けられている。脱落防止金具８４，９５，９６は、框体１８の室内側部位となる室内側框部５４及び室内側枠部４８，３８に取り付けられる固定部８４ａと、袖壁パネル２０の室外側表面２０ｄと対向配置される保持部８４ｃと、固定部８４ａが取り付けられた室内側框部５４の内側見込み面８５等から離間する方向に向かって固定部８４ａから屈曲し、室外側に向かって屈曲して延在し、これにより断熱部材５６，５０，４０から離間した位置で断熱部材５６，５０，４０を跨いだ状態で固定部８４ａと保持部８４ｃとの間を繋ぐブリッジ部８４ｄとを有する。【選択図】図４
2019143371.tif 000002
【特許請求の範囲】
【請求項１】
パネル体と、
前記パネル体の外周端部を保持する開口溝を有し、該開口溝の室内側壁部が形成された室内側部位と前記開口溝の室外側壁部が形成された室外側部位との間が断熱部材によって連結された框体と、
を備える建具であって、
前記框体の上框の開口溝及び左右の縦框の開口溝には、前記パネル体の脱落を防止する脱落防止金具が設けられており、
前記脱落防止金具は、前記室内側部位の内側見込み面及び前記室外側部位の内側見込み面のうちの一方に取り付けられる固定部と、
前記パネル体の室外側表面又は室内側表面と対向配置される保持部と、
前記固定部が取り付けられた前記室内側部位の内側見込み面又は前記室外側部位の内側見込み面から離間する方向に向かって前記固定部から屈曲し、前記固定部が取り付けられた室内側部位又は室外側部位の他方側となる室外側又は室内側に向かって屈曲して延在し、これにより前記断熱部材から離間した位置で該断熱部材を跨いだ状態で前記固定部と前記保持部との間を繋ぐブリッジ部と、を有することを特徴とする建具。
【請求項２】
請求項１に記載の建具において、
前記固定部が取り付けられる前記室内側部位又は前記室外側部位は、当該建具が取り付けられる建物躯体、又は該建物躯体に対して連結された部材に対して固定されていることを特徴とする建具。
【請求項３】
請求項１又は２に記載の建具において、
前記パネル体は、耐火ガラスを含み、
前記ブリッジ部は、前記耐火ガラスの外周端面に対向配置されると共に、前記耐火ガラスの外周端面と対向する該ブリッジ部の見込み面に、加熱されると膨張する第１熱膨張性部材を設けたことを特徴とする建具。
【請求項４】
請求項３に記載の建具において、
前記耐火ガラスの室外側表面又は室内側表面と対向する前記保持部の見付け面に、加熱されると膨張する第２熱膨張性部材を設けたことを特徴とする建具。
【請求項５】
請求項１〜４のいずれか１項に記載の建具において、
前記固定部は、前記室内側部位の内側見込み面に取り付けられ、
前記保持部は、前記パネル体の室外側表面に対向配置されていることを特徴とする建具。
【発明の詳細な説明】
【技術分野】
【０００１】
本発明は、パネル体を有する建具に関する。
【背景技術】
【０００２】
建物躯体の開口部に設けられ、室内外を仕切る建具では、ガラス板等のパネル体を框体で保持した構成が広く用いられている。このような建具は、室内での空調効率の確保や結露の発生防止等を考慮して、パネル体だけでなく、框体のような枠状部材を構成する形材についても十分な断熱性能を有することが望ましい。例えば特許文献１には、枠状部材を室内側部位と室外側部位とに分割し、両者を断熱部材で連結した構成（形材断熱構造）が開示されている。
【先行技術文献】
【特許文献】
【０００３】
【特許文献１】特開２００８−２９１５４２号公報
【発明の概要】
【発明が解決しようとする課題】
【０００４】
上記のような形材断熱構造は、火災時に断熱部材が溶融すると、形材の室内側部位と室外側部位とが分離する。そうすると、例えば室外側部位が脱落し、その結果パネル体も脱落することになり、建具の室内外方向に火炎や煙の通り道となる貫通孔が形成される可能性がある。
【０００５】
本発明は、上記従来技術の課題を考慮してなされたものであり、防火性能を向上することができる建具を提供することを目的とする。
【課題を解決するための手段】
【０００６】
本発明に係る建具は、パネル体と、前記パネル体の外周端部を保持する開口溝を有し、該開口溝の室内側壁部が形成された室内側部位と前記開口溝の室外側壁部が形成された室外側部位との間が断熱部材によって連結された框体と、を備える建具であって、前記框体の上框の開口溝及び左右の縦框の開口溝には、前記パネル体の脱落を防止する脱落防止金具が設けられており、前記脱落防止金具は、前記室内側部位の内側見込み面及び前記室外側部位の内側見込み面のうちの一方に取り付けられる固定部と、前記パネル体の室外側表面又は室内側表面と対向配置される保持部と、前記固定部が取り付けられた前記室内側部位の内側見込み面又は前記室外側部位の内側見込み面から離間する方向に向かって前記固定部から屈曲し、前記固定部が取り付けられた室内側部位又は室外側部位の他方側となる室外側又は室内側に向かって屈曲して延在し、これにより前記断熱部材から離間した位置で該断熱部材を跨いだ状態で前記固定部と前記保持部との間を繋ぐブリッジ部と、を有することを特徴とする。
【０００７】
このような構成によれば、火災時に上框及び左右の縦框の室外側部位や室内側部位が軟化或いは溶融した場合、又は断熱部材が溶融又は消失した場合であっても、パネル体の上端部及び側端部を脱落防止金具で保持しておくことができ、パネル体の脱落を防止して防火性能を向上することができる。しかも、脱落防止金具のブリッジ部は、断熱部材から離間した位置でこの断熱部材を跨いだ状態で延在し、固定部と保持部との間を繋いでいる。このため、通常時、脱落防止金具が室内側部位と室外側部位との間で熱橋となって当該建具の断熱性能を低下させることが抑制される。
【０００８】
本発明に係る建具において、前記固定部が取り付けられる前記室内側部位又は前記室外側部位は、当該建具が取り付けられる建物躯体、又は該建物躯体に対して連結された部材に対して固定された構成としてもよい。そうすると、脱落防止金具が建物躯体に対して連結された状態となるため、火災時であってもパネル体を一層確実に保持しておくことができる。
【０００９】
本発明に係る建具において、前記パネル体は、耐火ガラスを含み、前記ブリッジ部は、前記耐火ガラスの外周端面に対向配置されると共に、前記耐火ガラスの外周端面と対向する該ブリッジ部の見込み面に、加熱されると膨張する第１熱膨張性部材を設けた構成としてもよい。そうすると、火災時に加熱しても割れ落ちない耐火ガラスを脱落防止金具によって確実に保持しておくことができる。しかも火災時には第１熱膨張性部材が膨張することにより、脱落防止金具とガラス板の外周端面との隙間が塞がれ、この隙間が室内外方向の貫通孔となることを防止できる。
【００１０】
本発明に係る建具において、前記耐火ガラスの室外側表面又は室内側表面と対向する前記保持部の見付け面に、加熱されると膨張する第２熱膨張性部材を設けた構成としてもよい。そうすると、火災時には耐火ガラスの表面と脱落防止金具との間の隙間が膨張した第２熱膨張性部材で塞がれる。このため、この隙間が室内外方向に連通する貫通孔となることが防止されると共に、膨張した第２熱膨張性部材によって耐火ガラスが保持され、その脱落が一層確実に防止される。
【００１１】
本発明に係る建具において、前記固定部は、前記室内側部位の内側見込み面に取り付けられ、前記保持部は、前記パネル体の室外側表面に対向配置された構成としてもよい。そうすると、火災時に断熱部材が溶融又は消失し、框体の室内側部位と室外側部位との間が分離した場合であっても、この室外側部位が室外側へと脱落することを保持部によって確実に防止でき、パネル体が室外側に脱落してしまうことを防止できる。
【発明の効果】
【００１２】
本発明によれば、建具の防火性能を向上することができる。
【図面の簡単な説明】
【００１３】
【図１】本発明の一実施形態に係る建具を室外側から見た正面図である。
【図２】図１に示す建具の縦断面図である。
【図３】図１に示す建具の横断面図である。
【図４】図１に示す建具の袖壁パネルに対応する部分での縦断面拡大図である。
【図５】図１に示す建具の袖壁パネルに対応する部分での横断面拡大図である。
【発明を実施するための形態】
【００１４】
以下、本発明に係る建具について好適な実施の形態を挙げ、添付の図面を参照しながら詳細に説明する。
【００１５】
図１は、本発明の一実施形態に係る建具１０を室外側から見た正面図である。図２は、図１に示す建具１０の縦断面図である。図３は、図１に示す建具１０の横断面図である。図１〜図３に示すように、建具１０は、開口枠１２と、方立部１４と、引戸１６と、框体１８と、袖壁パネル２０とを備える。建具１０は、建物躯体２１に固定された開口枠１２で引戸１６をスライド可能に支持すると共に、方立部１４の一側方に形成された引戸１６の引込み空間Ｓの室内側に袖壁パネル２０を嵌め殺した構成の袖付引戸である。建具１０は、例えば住宅等の建物の玄関に設置される。本発明は、袖付引戸以外、例えば片引戸や引違い戸、ドア、開閉扉等の各種建具に利用してもよい。
【００１６】
開口枠１２は、上枠１２ａ、下枠１２ｂ、戸先側縦枠１２ｃ、及び戸尻側縦枠１２ｄを四周枠組みした構成である。各枠１２ａ〜１２ｄは、例えばアルミニウム等の金属の押出形材である。開口枠１２は、くぎやねじ等の固定具２２を用いて建物躯体２１に固定される。
【００１７】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な戸先側縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば開口枠１２の枠内側をいい、枠状部材の外側（外周）とは、例えば開口枠１２の躯体に固定される枠外側をいう。
【００１８】
図２に示すように、上枠１２ａは、室内側に配置される室内側枠部２４と室外側に配置される室外側枠部２５とを、ウレタン樹脂等の断熱部材（枠側断熱部材）２６で連結した構造である。上枠１２ａは、室内側枠部２４及び室外側枠部２５のそれぞれが固定具２２を用いて建物躯体２１に固定される。室外側枠部２５には上レール２５ａが連結されている。上レール２５ａは、引戸１６の上端部に設けられた吊ローラ２８の走行レールである。
【００１９】
下枠１２ｂは、室内側に配置される室内側枠部３０と室外側に配置される室外側枠部３１とを、ウレタン樹脂等の断熱部材３２で連結した構造である。室外側枠部３１の内側見込み面５９にはガイド部品３１ａが設けられている。ガイド部品３１ａは、引戸１６の下端部に設けられた図示しないガイド溝内に配置されて引戸１６の走行を案内する部品である。
【００２０】
図３に示すように、戸先側縦枠１２ｃは、室内側に配置される室内側枠部３４と室外側に配置される室外側枠部３５とを、ウレタン樹脂等の断熱部材３６で連結した構造である。室外側枠部３５は、引戸１６の全閉時の戸当たりとなる。
【００２１】
戸尻側縦枠１２ｄは、室内側に配置される室内側枠部３８と室外側に配置される室外側枠部３９とを、ウレタン樹脂等の断熱部材４０で連結した構造である。戸尻側縦枠１２ｄは、框体１８の縦框としても機能し、袖壁パネル２０の側端部を保持する。室外側枠部３９は、全開された引戸１６の引込み空間Ｓの一壁部となる。
【００２２】
図３に示すように、方立部１４は、方立４４と、中間縦枠４６とを備える。方立部１４は、戸先側縦枠１２ｃと戸尻側縦枠１２ｄとの間となる位置に立脚した柱であり、当該建具１０を幅方向（Ｘ方向）で引戸１６側と袖壁パネル２０側とに区画する。方立部１４は、方立４４と中間縦枠４６とをブリッジ材４７で断熱しつつ連結した構造である。中間縦枠４６と方立４４は一体構造とされてもよい。
【００２３】
方立４４は、中空部４４ａと、室内側煙返し片４４ｂと、枠保持片４４ｃとを有し（図５も参照）、上端部が上枠１２ａに連結され、下端部が下枠１２ｂに連結されている。中空部４４ａは、断面矩形状に形成され、方立４４の長手方向に亘って延在している。室内側煙返し片４４ｂは、中空部４４ａの室外側に設けられ、後述する引戸１６側の室外側煙返し片１６ｈと対向配置される略Ｌ字形状の板片である。枠保持片４４ｃは、方立４４の室内側端部から戸尻側縦枠１２ｄ側に延在しており、室外側に延びた突出片４４ｄ（図５参照）が途中に設けられた略Ｔ字形状の板片である。
【００２４】
中間縦枠４６は、室内側に配置される室内側枠部４８と室外側に配置される室外側枠部４９とを、ウレタン樹脂等の断熱部材５０で連結した構造である。中間縦枠４６は、框体１８の縦框としても機能し、袖壁パネル２０の側端部を保持する。中間縦枠４６は、室外側枠部４９の上下端部がそれぞれ上枠１２ａ、下枠１２ｂに連結され、室内側枠部４８の外側見込み面４６ａが方立４４の突出片４４ｄに対してねじ５１を用いて連結される（図５参照）。ブリッジ材４７は、樹脂製の押出形材であり、中間縦枠４６の外側見込み面４６ａと方立４４の内側見込み面４４ｅとの間に介在している（図５参照）。ブリッジ材４７は、室外側の中間縦枠４６と室内側の方立４４との間を断熱する。
【００２５】
図１〜図３に示すように、引戸１６は、上枠１２ａの上レール２５ａと下枠１２ｂのガイド部品３１ａとに支持され、上枠１２ａ及び下枠１２ｂの長手方向に沿ってスライド可能である。引戸１６は、上枠１２ａ、下枠１２ｂ、戸先側縦枠１２ｃ、及び方立４４によって形成される開口部１２ｅを開閉可能である。本実施形態の場合、引戸１６は、室内外の表面材１６ａ，１６ｂ間に枠状の骨材１６ｃ及び断熱材１６ｄを設けた構造（フラッシュ構造）である。引戸１６は、フラッシュ構造以外であってもよい。
【００２６】
引戸１６は、戸先側の外側見込み面と戸尻側の外側見込み面とにそれぞれカバー部材１６ｅ，１６ｆが装着されている。戸尻側のカバー部材１６ｆは、召合せ部１６ｇと、室外側煙返し片１６ｈとを有する。召合せ部１６ｇは、カバー部材１６ｆの室内側見付け面から室内側に延在している。室外側煙返し片１６ｈは、召合せ部１６ｇの室内側に設けられ、方立４４側の室内側煙返し片４４ｂと対向配置される略Ｌ字形状の板片である。
【００２７】
図４は、図１に示す建具１０の袖壁パネル２０に対応する部分での縦断面拡大図である。図５は、図１に示す建具１０の袖壁パネル２０に対応する部分での横断面拡大図である。図１〜図３に示すように、框体１８は、上框１８ａ、下框１８ｂ、中間縦枠４６、及び戸尻側縦枠１２ｄを四周框組し、内側の開口部１８ｃに袖壁パネル２０を保持した枠状部材である。
【００２８】
図２及び図４に示すように、上框１８ａは、袖壁パネル２０の上端部を保持する開口溝５２を有し、中間縦枠４６と戸尻側縦枠１２ｄとの間となる位置で上枠１２ａの内側見込み面５３に連結されている。上框１８ａは、開口溝５２の室内側壁部５２ａが形成された室内側框部５４と、開口溝５２の室外側壁部５２ｂが形成された室外側框部５５とを、ウレタン樹脂等の断熱部材５６で連結した構造である。上框１８ａは、室内側框部５４が上枠１２ａの室内側枠部２４と共に固定具２２を用いて建物躯体２１に共締め固定されている。袖壁パネル２０の上端部は、開口溝５２を形成する室内側壁部５２ａと室外側壁部５２ｂとの間でタイト材５７を用いて保持される。タイト材５７は、下框１８ｂ、中間縦枠４６、及び戸尻側縦枠１２ｄにも同様に用いられている（図４及び図５参照）。
【００２９】
下框１８ｂは、袖壁パネル２０の下端部を保持する開口溝５８を有し、中間縦枠４６と戸尻側縦枠１２ｄとの間となる位置で下枠１２ｂの内側見込み面５９に連結されている。下框１８ｂは、開口溝５８の室内側壁部５８ａが形成された室内側框部６０と、開口溝５８の室外側壁部５８ｂが形成された室外側框部６１とを、ウレタン樹脂等の断熱部材６２で連結した構造である。下框１８ｂは、室内側框部６０が下枠１２ｂの室内側枠部３０に対してねじ６３を用いて連結されている。
【００３０】
図３及び図５に示すように、中間縦枠４６は、框体１８の一方の縦框として機能する。中間縦枠４６は、袖壁パネル２０の側端部を保持する開口溝６６を有する。中間縦枠４６は、室内側枠部４８に開口溝６６の室内側壁部６６ａとして機能する押縁６７が装着され、室外側枠部４９に開口溝６６の室外側壁部６６ｂが形成されている。
【００３１】
戸尻側縦枠１２ｄは、框体１８の他方の縦框として機能する。戸尻側縦枠１２ｄは、袖壁パネル２０の側端部を保持する開口溝６８を有する。戸尻側縦枠１２ｄは、室内側枠部３８に開口溝６８の室内側壁部６８ａとして機能する押縁７０が装着され、室外側枠部３９に開口溝６８の室外側壁部６８ｂが形成されている。
【００３２】
図４及び図５に示すように、袖壁パネル（パネル体）２０は、スペーサ７２で間隔を隔てて一対のガラス板２０ａ，２０ｂを対面配置した複層ガラスである。本実施形態の場合、室外側に配置されるガラス板２０ｂは網入りガラスとし、室内側に配置されるガラス板２０ａは薄板のフロートガラスとしている。ガラス板２０ｂは耐熱強化ガラスや厚板ガラス等であってもよい。つまりガラス板２０ｂは、所定の耐火性能を有する耐火ガラスで構成されている。ガラス板２０ａについても耐火ガラスで構成してもよい。袖壁パネル２０は、ガラス板２０ａ，２０ｂに代えて、耐火性能を有する樹脂パネル等で構成されてもよい。袖壁パネル２０は、単層ガラス又は３層以上の複層ガラスで構成されてもよい。
【００３３】
図４に示すように、下框１８ｂの開口溝５８内には、脚部材７４とセッティングブロック７５とが設けられている。脚部材７４は、下框１８ｂの室内側框部６０と室外側框部６１との間に亘って断熱部材６２を跨いだ略門形状のピース部品であり、下框１８ｂの長手方向で複数設けられる。セッティングブロック７５は、各脚部材７４の上面上に載置された補強材７６の内側見込み面７６ａに対し、下框１８ｂの長手方向で複数設けられたピース部品である。補強材７６は、ステンレス板やスチール板を略Ｌ字形状に屈曲させた板材であり、下框１８ｂの長手方向に亘って延在している。袖壁パネル２０は、その下端面２０ｆが開口溝５８内で各セッティングブロック７５上に支持され、その側端面２０ｇ，２０ｈがそれぞれ中間縦枠４６及び戸尻側縦枠１２ｄの開口溝６６，６８内で支持部材７７，７８を介して支持される。
【００３４】
次に、建具１０の防火構造を説明する。先ず、袖壁パネル２０の周辺部での防火構造を説明する。図４に示すように、上枠１２ａは、室外側枠部２５の内側見込み面５３に規制金具８０が連結されている。規制金具８０は、ステンレス板やスチール板を略Ｌ字形状に屈曲させた板材であり、上框１８ａの長手方向に亘って延在している。規制金具８０は、室外側枠部２５に対してねじ８１を用いて締結される取付部８０ａと、取付部８０ａの室内側端部から下方に突出した規制部８０ｂとを有する。上框１８ａの室外側框部５５は、その室内側端部に断熱部材５６が装着される装着部８２を有する。装着部８２は、上框１８ａの外側見込み面８３から上方に膨出され、室内側に開口した略コ字形状を有する。規制金具８０の規制部８０ｂは、装着部８２の室外側見付け面８２ａに対して当接又は近接した位置で対向配置される。規制金具８０は、上枠１２ａではなく、建物躯体２１に対して直接的に連結されてもよい。
【００３５】
上框１８ａは、開口溝５２内に脱落防止金具８４が設けられている。脱落防止金具８４は、ステンレス板やスチール板を略コ字形状に屈曲させた板材であり、上框１８ａの長手方向に亘って延在している。脱落防止金具８４は、室内側框部５４の内側見込み面８５に対して固定具２２を用いて締結される固定部８４ａと、袖壁パネル２０の室内側表面２０ｃに対向配置される保持部８４ｂと、袖壁パネル２０の室外側表面２０ｄに対向配置される保持部８４ｃと、固定部８４ａと室外側の保持部８４ｃとの間を繋ぐブリッジ部８４ｄとを有する。室内側の保持部８４ｂは、開口溝５２の室内側壁部５２ａとガラス板２０ａの室内側表面２０ｃとの間に介在している。室外側の保持部８４ｃは、開口溝５２の室外側壁部５２ｂとガラス板２０ｂの室外側表面２０ｄとの間に介在している。ブリッジ部８４ｄは、内側見込み面８５から離間する方向（下方）に向かって固定部８４ａの室外側端部から屈曲し、室外側に向かってさらに屈曲したクランク形状を有し、その室外側端部に保持部８４ｃが設けられている。固定部８４ａは、建物躯体２１に対して直接的に連結されてもよい。
【００３６】
上框１８ａは、脱落防止金具８４のブリッジ部８４ｄの内側見込み面８４ｅに熱膨張性部材（第１熱膨張性部材）８６を有し、室外側の保持部８４ｃの室内側見付け面８４ｆに熱膨張性部材（第２熱膨張性部材）８７を有する。熱膨張性部材８６は耐火ガラスであるガラス板２０ｂの上端面（外周端面）２０ｅに対向し、熱膨張性部材８７はガラス板２０ｂの室外側表面２０ｄに対向している。熱膨張性部材８６，８７は、加熱されると発泡して膨張する黒鉛等の加熱発泡材であり、接着剤や両面テープ等を用いて内側見込み面８４ｅ等に接着固定される。なお、後述する熱膨張性部材８８，９３，９４，９７ａ〜９７ｊ，９８ａ〜９８ｅについても、熱膨張性部材８６，８７と同様な性質である。
【００３７】
図４に示すように、下框１８ｂは、袖壁パネル２０の下端面２０ｆ及び室内側表面２０ｃに対向配置した略Ｌ字形状の補強材７６を有する。補強材７６は、内側見込み面７６ａの室外側端部に熱膨張性部材８８を有する。熱膨張性部材８８は耐火ガラスであるガラス板２０ｂの下端面（外周端面）２０ｆに対向している。
【００３８】
図５に示すように、方立部１４は、方立４４の中空部４４ａに補強材９０を有する。補強材９０は、上下端部がそれぞれ上枠１２ａ及び下枠１２ｂに連結されている。補強材９０は、ステンレス板やスチール板を略コ字形状に屈曲させた板材であり、方立４４の長手方向に亘って延在している。補強材９０は、室内外方向に沿う見込み片（第１板部）９０ａと、見込み片９０ａの室内側端部から屈曲した室内側見付け片９０ｂと、見込み片９０ａの室外側端部から屈曲した室外側見付け片（第２板部）９０ｃとを有する。見込み片９０ａは、中空部４４ａの戸先側縦枠１２ｃ側（図５中で左側）の壁面に近接配置されている。各見付け片９０ｂ，９０ｃは、戸尻側縦枠１２ｄ側（図５中で右側）に向かって突出している。
【００３９】
補強材９０は、室外側見付け片９０ｃの室内側見付け面９０ｄが係止部材９２によって係止されることにより、室内側への移動が規制されている。本実施形態の場合、係止部材９２は、ねじである。係止部材９２は、中間縦枠４６の室外側枠部４９に形成されたねじ孔４９ａに対して開口溝６６側から螺合し、ブリッジ材４７の挿通孔４７ａと方立４４の挿通孔４４ｆとを挿通し、中空部４４ａに進入している。係止部材９２は、ねじ部の外周面９２ａが室外側見付け片９０ｃの室内側見付け面９０ｄに対して近接配置又は当接配置されている。
【００４０】
方立部１４は、ブリッジ材４７を配置した空間、つまり方立４４の内側見込み面４４ｅと中間縦枠４６の外側見込み面４６ａとの間の空間に臨む位置に熱膨張性部材９３を有する。本実施形態の場合、熱膨張性部材９３は、枠保持片４４ｃの室外側見付け面４４ｇに設けられている。さらに方立４４は、室内側煙返し片４４ｂの内側見込み面に熱膨張性部材９４を有する。
【００４１】
中間縦枠４６は、開口溝６６内に脱落防止金具９５が設けられている。脱落防止金具９５は、室内側の保持部８４ｂを持たない以外は、上記した上框１８ａの脱落防止金具８４と略同一構造であるため、図中に同一の参照符号を付して詳細な説明を省略する。すなわち脱落防止金具９５は、固定部８４ａ、保持部８４ｃ、及びブリッジ部８４ｄを有し、ブリッジ部８４ｄの内側見込み面８４ｅに熱膨張性部材（第１熱膨張性部材）８６が設けられ、保持部８４ｃの室内側見付け面８４ｆに熱膨張性部材（第２熱膨張性部材）８７が設けられている。脱落防止金具９５の固定部８４ａは、室内側枠部４８の内側見込み面に配置され、ねじ５１を用いて室内側枠部４８及び枠保持片４４ｃの突出片４４ｄと連結される。脱落防止金具９５の熱膨張性部材８６は、耐火ガラスであるガラス板２０ｂの側端面（外周端面）２０ｇに対向している。
【００４２】
戸尻側縦枠１２ｄは、開口溝６８内に脱落防止金具９６が設けられている。脱落防止金具９６は、上記した中間縦枠４６の脱落防止金具９５と左右対称構造である以外は同一構造であるため、図中に同一の参照符号を付して詳細な説明を省略する。すなわち脱落防止金具９６は、固定部８４ａ、保持部８４ｃ、及びブリッジ部８４ｄを有し、ブリッジ部８４ｄの内側見込み面８４ｅに熱膨張性部材（第１熱膨張性部材）８６が設けられ、保持部８４ｃの室内側見付け面８４ｆに熱膨張性部材（第２熱膨張性部材）８７が設けられている。脱落防止金具９６の固定部８４ａは、室内側枠部３８の内側見込み面に配置され、固定具２２を用いて室内側枠部３８と共に建物躯体２１に連結されている。脱落防止金具９６に設けた熱膨張性部材８６は、耐火ガラスであるガラス板２０ｂの側端面（外周端面）２０ｈに対向している。
【００４３】
以上のように構成された建具１０が火災で加熱された場合、袖壁パネル２０の上端部付近では、断熱部材５６が溶融又は消失し、袖壁パネル２０の上端部を保持する上框１８ａの室内側框部５４と室外側框部５５とが分離する。しかしながら、建具１０では、規制金具８０によって室外側框部５５が室外側に移動することが規制されている。このため、室外側框部５５の脱落が防止され、室外側框部５５による袖壁パネル２０の上端部の保持状態が維持されるため、袖壁パネル２０の脱落を防止でき、防火性能を向上することができる。規制金具８０は、袖付引戸以外の建具にも利用可能であり、例えば建物躯体に固定された開口枠（框体）にパネル体を嵌め殺した嵌め殺し窓等にも利用できる。
【００４４】
建具１０は、方立４４に設けた補強材９０の室内側への移動を規制する係止部材９２を、上框１８ａ、下框１８ｂ、及び戸尻側縦枠１２ｄと強固に框組された中間縦枠４６に取り付けている。このため、火災時に補強材９０が熱伸びし、中央部が室内側に移動するような弓状の反り変形を生じることを係止部材９２によって抑制できる。その結果、方立４４と引戸１６との間での室内外方向の貫通孔の形成を防止できる。従って、係止部材９２は、補強材９０の長手方向（上下方向）で少なくとも中央部又はその付近に設けられることが望ましい。本実施形態では係止部材９２は、例えば上端付近、中央部、下端付近にそれぞれ設置している。なお、方立４４の室外側には引戸１６が設けられるため、補強材９０が上記した方向と逆方向に弓状の反り変形をすることはほとんどないため、係止部材９２は補強材９０の室内側への移動を規制可能であればよい。係止部材９２はねじ以外、例えば金属棒や金属片等で構成されてもよい。
【００４５】
また、本実施形態の場合、係止部材９２は、中間縦枠４６の室外側枠部４９に固定されている。このため、火災時に中間縦枠４６の断熱部材５０が溶融又は消失し、中間縦枠４６の室内側枠部４８と室外側枠部４９とが分離した場合であっても、係止部材９２が補強材９０の室内側見付け面９０ｄに係止されるため、室外側枠部４９が室外側に移動することが規制される。このため、室外側枠部４９の脱落が防止され、室外側枠部４９による袖壁パネル２０の側端部の保持状態が維持され、袖壁パネル２０の脱落が一層確実に防止される。
【００４６】
建具１０は、袖壁パネル２０を保持する框体１８の上框１８ａ、中間縦枠４６、及び戸尻側縦枠１２ｄの開口溝５２，６６，６８にそれぞれ脱落防止金具８４，９５，９６を設けている。このため、建具１０は、例えば火災時に長時間加熱され、上框１８ａ、中間縦枠４６、及び戸尻側縦枠１２ｄの室外側框部５５、室外側枠部４９，３９が軟化或いは溶融した場合、又は断熱部材５６，５０，４０が溶融又は消失した場合であっても、袖壁パネル２０の上端部及び側端部を保持しておくことができ、袖壁パネル２０の脱落を一層確実に防止できる。この際、脱落防止金具８４のブリッジ部８４ｄは、断熱部材５６から離間した位置で断熱部材５６を跨いだ状態で延在し、固定部８４ａと保持部８４ｃとの間を繋いでいる。このため、通常時、脱落防止金具８４が室内側框部５４と室外側框部５５との間で熱橋となって建具１０の断熱性能を低下させることが抑制されており、脱落防止金具９５，９６についても同様な断熱構造を有する。なお、上框１８ａは、袖壁パネル２０の脱落防止のために重要な部位であるため、脱落防止金具８４は袖壁パネル２０の室内側表面２０ｃを保持する保持部８４ｂも有する構成となっている。但し、本実施形態の場合、保持部８４ｂ及びその室内側の室内側框部５４の室内側には、建物躯体２１やこれと固定された額縁部材が配設されているため、保持部８４ｂを省略しても十分な防火性能を担保できる。また、上框１８ａに脱落防止金具８４を設けていれば、他の脱落防止金具９５，９６を省略してもよく、反対に脱落防止金具９５，９６のみを設けて脱落防止金具８４を省略してもよい。脱落防止金具８４，９５，９６は、袖付引戸以外の建具にも利用可能であり、例えば建物躯体に固定された開口枠（框体）にパネル体を嵌め殺した嵌め殺し窓等や開口枠に開閉可能に支持される障子の框体にも利用できる。
【００４７】
建具１０において、脱落防止金具８４，９５，９６は、耐火ガラスであるガラス板２０ｂの各端面２０ｅ，２０ｇ，２０ｈと対向する位置にそれぞれ熱膨張性部材８６を有する。このため、火災時に熱膨張性部材８６が膨張することにより、各脱落防止金具８４，９５，９６とガラス板２０ｂの各端面２０ｅ，２０ｇ，２０ｈとの隙間が塞がれ、この隙間が室内外方向の貫通孔となることを防止できる。なお、本実施形態の場合は、下框１８ｂの開口溝５８に設けた補強材７６にもガラス板２０ｂの下端面２０ｆと対向する位置に熱膨張性部材８８を設けている。このため、建具１０は、火災時にガラス板２０ｂの外周端面と框体１８との間の隙間が四周に亘って熱膨張性部材８６，８８によって塞がれるため、一層高い防火性能が得られる。
【００４８】
さらに脱落防止金具８４，９５，９６は、ガラス板２０ｂの室外側表面２０ｄと対向する位置に熱膨張性部材８７を有する。これにより、建具１０の火災時には袖壁パネル２０の室外側表面２０ｄと脱落防止金具８４，９５，９６との間の隙間が膨張した熱膨張性部材８７で塞がれる。このため、この隙間が室内外方向に連通する貫通孔となることが防止されると共に、膨張した熱膨張性部材８７によって袖壁パネル２０が保持され、その脱落が一層確実に防止される。
【００４９】
本実施形態の場合、袖壁パネル２０の室外側のガラス板２０ｂを耐火ガラスとしているため、このガラス板２０ｂの周囲に熱膨張性部材８６，８７を設けた構成を例示したが、室内側のガラス板２０ａを耐火ガラスとした場合はこちら側に熱膨張性部材８６，８７を設けるとよい。脱落防止金具８４，９５，９６についても同様であり、室内側のガラス板２０ａを耐火ガラスとした場合は、室外側框部５５、室外側枠部４９，３９に固定部８４ａを固定し、ブリッジ部８４ｄを室内側框部５４、室内側枠部４８，３８側へと延在させ、保持部８４ｃを室内側表面２０ｃに対向配置するとよい。
【００５０】
建具１０では、方立部１４にも熱膨張性部材９３，９４を設けている。熱膨張性部材９３は、当該建具１０の火災時にＰＶＣ等の樹脂製のブリッジ材４７が焼失した際に形成される方立４４と中間縦枠４６との間の隙間を塞ぎ、この隙間が室内外方向の貫通孔となることを防止する。また、熱膨張性部材９４は、当該建具１０の火災時に室内側煙返し片４４ｂと引戸１６の室外側煙返し片１６ｈとの間の隙間を塞ぎ、この隙間が室内外方向の貫通孔となることを防止する。
【００５１】
次に、袖壁パネル２０の周辺部以外の部分での防火構造を説明する。本実施形態の場合、建具１０は引戸１６及びその周辺部にも防火構造を有する。図３に示すように、引戸１６の左右側部では、骨材１６ｃの外面と表面材１６ａ，１６ｂの内面との間に熱膨張性部材９７ａ，９７ｂが設けられ、骨材１６ｃの内面に熱膨張性部材９７ｃ，９７ｄが設けられ、カバー部材１６ｅ，１６ｆに熱膨張性部材９７ｅ，９７ｆ，９７ｇ，９７ｈ，９７ｉ，９７ｊが設けられている。図２に示すように、引戸１６の上下部では、熱膨張性部材９８ａ，９８ｂ，９８ｃ，９８ｄ，９８ｅが設けられている。熱膨張性部材９８ｂ，９８ｄは、例えば上枠１２ａ及び下枠１２ｂの戸先側縦枠１２ｃと方立部１４との間に設けられる部位の室外側見付け面に設けられる。熱膨張性部材９８ｃ，９８ｅは、例えば引戸１６の上下端部に設けられる。
【００５２】
熱膨張性部材９７ａ〜９７ｊ，９８ａ〜９８ｅは、例えば引戸１６の骨材１６ｃ等の長手方向に亘って設けられる。これにより建具１０の火災時、熱膨張性部材９７ａ〜９７ｊは、引戸１６と戸先側縦枠１２ｃとの間や引戸１６と方立部１４との間での室内外方向の貫通孔の発生を防止し、熱膨張性部材９８ａ〜９８ｅは、引戸１６と上枠１２ａや下枠１２ｂとの間での室内外方向の貫通孔の発生を防止する。
【００５３】
なお、本発明は、上記した実施形態に限定されるものではなく、本発明の主旨を逸脱しない範囲で自由に変更できることは勿論である。
【符号の説明】
【００５４】
１０  建具、１２  開口枠、１２ａ  上枠、１２ｂ  下枠、１２ｃ  戸先側縦枠、１２ｄ  戸尻側縦枠、１４  方立部、１６  引戸、１８  框体、１８ａ  上框、１８ｂ  下框、２０  袖壁パネル、２０ａ，２０ｂ  ガラス板、２４，３０，３４，３８，４８  室内側枠部、２５，３１，３５，３９，４９  室外側枠部、２６，３２，３６，４０，５０，５６，６２  断熱部材、４４  方立、４６  中間縦枠、４７  ブリッジ材、５２，５８，６６，６８  開口溝、５４，６０  室内側框部、５５，６１  室外側框部、７６，９０  補強材、８０  規制金具、８４，９５，９６  脱落防止金具、８６〜８８，９３，９４，９７ａ〜９７ｊ，９８ａ〜９８ｅ  熱膨張性部材、９２  係止部材
【図１】
2019143371.tif 000003
【図２】
2019143371.tif 000004
【図３】
2019143371.tif 000005
【図４】
2019143371.tif 000006
【図５】
2019143371.tif 000007